(57)【特許請求の範囲】
【請求項１】
開口の幅方向に沿ってスライド自在に配設される複数枚の開閉体を備え、それぞれの前後面が略同一平面状となるように前記複数枚の開閉体を横並びに配設して閉鎖する一方、隣り合う開閉体同士を前後に重ね合わせるように配設して開放する構造とされた開口開閉装置であって、
前記複数枚の開閉体のそれぞれの上端側に連結され、該開閉体のスライド方向に伸縮して該開閉体を案内するスライドレールと、
前記スライドレールのそれぞれを、前記開口の天面略直下の略同高さ位置で伸縮方向に沿って並ぶように位置させる収納位置とこの収納位置から前方に突出した前方位置との間で変位自在に保持するとともに、前記開口の天面側に連結されるレール保持部と、を備えており、
前記複数枚の開閉体は、二枚の開閉体からなり、それぞれの前記スライドレールは、これら開閉体の一方を他方から離反させる方向となる開口幅方向外方側へ移動させるようにさらに伸縮可能とされていることを特徴とする開口開閉装置。
【請求項２】
開口の幅方向に沿ってスライド自在に配設される複数枚の開閉体を備え、それぞれの前後面が略同一平面状となるように前記複数枚の開閉体を横並びに配設して閉鎖する一方、隣り合う開閉体同士を前後に重ね合わせるように配設して開放する構造とされた開口開閉装置であって、
前記複数枚の開閉体のそれぞれの上端側に連結され、該開閉体のスライド方向に伸縮して該開閉体を案内するスライドレールと、
前記スライドレールのそれぞれを、前記開口の天面略直下の略同高さ位置で伸縮方向に沿って並ぶように位置させる収納位置とこの収納位置から前方に突出した前方位置との間で変位自在に保持するとともに、前記開口の天面側に連結されるレール保持部と、を備えており、
前記レール保持部は、前記スライドレールの前面側を覆うカバー片を備えたレール取付部材を介して前記スライドレールに連結されており、
前記開閉体は、開放状態で前記スライドレールの前面側を覆う一方、閉鎖状態で前記レール取付部材のカバー片と前後に重なり合うように配設されるカバー片を備えた開閉体取付部材を介して前記スライドレールに連結されていることを特徴とする開口開閉装置。
【請求項３】
請求項１または２において、
前記レール保持部は、前記開口の天面側及び前記スライドレール側にそれぞれ連結されたリンク部材であることを特徴とする開口開閉装置。
【請求項４】
請求項１において、
前記レール保持部は、前記スライドレールの前面側を覆うカバー片を備えたレール取付部材を介して前記スライドレールに連結されており、
前記開閉体は、開放状態で前記スライドレールの前面側を覆う一方、閉鎖状態で前記レール取付部材のカバー片と前後に重なり合うように配設されるカバー片を備えた開閉体取付部材を介して前記スライドレールに連結されていることを特徴とする開口開閉装置。
【発明の詳細な説明】
【技術分野】
【０００１】
本発明は、開口を開閉する複数枚の引戸等の開閉体を備えた開口開閉装置に関する。
【背景技術】
【０００２】
従来より、住居等の建物に設けられた開口や収納家具の開口等を、引戸やガラス戸等の複数枚の開閉体によって引き違い状に開閉する構造とされた開口の開閉構造が知られている。このような引き違い状の開閉構造は、一般的には複数本の直線状のレールを前後に配設し、それぞれのレールに開閉体がスライド自在に案内されて開口を開閉する構造とされている。このような構造では、複数本のレールを前後に配設する必要があり、また、開口を閉鎖した状態で、隣り合う開閉体同士の一方が他方の前方に位置する構造とされ、見栄えが悪いという問題があった。
【０００３】
下記特許文献１では、直線状に形成されて互いに平行に配置され、それぞれに戸板をスライドしうるように吊持する二本のレールの一方を固定レール、他方を可動レールとしたフラット引戸が提案されている。このフラット引戸は、上記可動レールを、レール移動手段を介して、該可動レールの軸と直交する略水平方向（前後方向）に移動可能に保持させた構造とされ、閉止時に二枚の戸板が面一に並び、開放時に二枚の戸板が引き違い状態で重なる構造とされている。
【先行技術文献】
【特許文献】
【０００４】
【特許文献１】特開２００６−１４４２２１号公報
【発明の概要】
【発明が解決しようとする課題】
【０００５】
しかしながら、上記特許文献１に記載されたフラット引戸では、固定レールに対して可動レールを前後方向に移動可能とするために、固定レールと可動レールとを上下や前後に配置する必要があった。そのため、引戸の上端側を案内する上側機構部の上下寸法または前後寸法が大きくなるという問題があった。
【０００６】
本発明は、上記実情に鑑みてなされたものであり、閉鎖した状態で、それぞれの前後面が略同一平面状となるように複数枚の開閉体を配設可能でありながらも、これら開閉体の上端側を案内する上側機構部のコンパクト化を図り得る開口開閉装置を提供することを目的としている。
【課題を解決するための手段】
【０００７】
上記目的を達成するために、本発明に係る開口開閉装置は、開口の幅方向に沿ってスライド自在に配設される複数枚の開閉体を備え、それぞれの前後面が略同一平面状となるように前記複数枚の開閉体を横並びに配設して閉鎖する一方、隣り合う開閉体同士を前後に重ね合わせるように配設して開放する構造とされた開口開閉装置であって、前記複数枚の開閉体のそれぞれの上端側に連結され、該開閉体のスライド方向に伸縮して該開閉体を案内するスライドレールと、前記スライドレールのそれぞれを、前記開口の天面略直下の略同高さ位置で伸縮方向に沿って並ぶように位置させる収納位置とこの収納位置から前方に突出した前方位置との間で変位自在に保持するとともに、前記開口の天面側に連結されるレール保持部と、を備えており、前記複数枚の開閉体は、二枚の開閉体からなり、それぞれの前記スライドレールは、これら開閉体の一方を他方から離反させる方向となる開口幅方向外方側へ移動させるようにさらに伸縮可能とされていることを特徴とする。
本発明においては、前記レール保持部を、前記スライドレールの前面側を覆うカバー片を備えたレール取付部材を介して前記スライドレールに連結し、前記開閉体を、開放状態で前記スライドレールの前面側を覆う一方、閉鎖状態で前記レール取付部材のカバー片と前後に重なり合うように配設されるカバー片を備えた開閉体取付部材を介して前記スライドレールに連結してもよい。
【０００８】
また、上記目的を達成するために、本発明に係る開口開閉装置は、開口の幅方向に沿ってスライド自在に配設される複数枚の開閉体を備え、それぞれの前後面が略同一平面状となるように前記複数枚の開閉体を横並びに配設して閉鎖する一方、隣り合う開閉体同士を前後に重ね合わせるように配設して開放する構造とされた開口開閉装置であって、前記複数枚の開閉体のそれぞれの上端側に連結され、該開閉体のスライド方向に伸縮して該開閉体を案内するスライドレールと、前記スライドレールのそれぞれを、前記開口の天面略直下の略同高さ位置で伸縮方向に沿って並ぶように位置させる収納位置とこの収納位置から前方に突出した前方位置との間で変位自在に保持するとともに、前記開口の天面側に連結されるレール保持部と、を備えており、前記レール保持部は、前記スライドレールの前面側を覆うカバー片を備えたレール取付部材を介して前記スライドレールに連結されており、前記開閉体は、開放状態で前記スライドレールの前面側を覆う一方、閉鎖状態で前記レール取付部材のカバー片と前後に重なり合うように配設されるカバー片を備えた開閉体取付部材を介して前記スライドレールに連結されていることを特徴とする。
本発明においては、前記複数枚の開閉体を、二枚の開閉体からなるものとし、それぞれの前記スライドレールを、これら開閉体の一方を他方から離反させる方向へさらに伸縮可能な構成としてもよい。
また、上記いずれかの本発明においては、前記レール保持部を、前記開口の天面側及び前記スライドレール側にそれぞれ連結されたリンク部材としてもよい。
【発明の効果】
【０００９】
本発明に係る開口開閉装置は、上述のような構成としたことで、閉鎖した状態で、それぞれの前後面が略同一平面状となるように複数枚の開閉体を配設可能でありながらも、これら開閉体の上端側を案内する上側機構部のコンパクト化を図ることができる。
【図面の簡単な説明】
【００１０】
【図１】（ａ）、（ｂ）は、いずれも本発明の一実施形態に係る開口開閉装置の一例を模式的に示し、（ａ）は、図３（ａ）におけるＸ１−Ｘ１線矢視に対応させた一部破断概略縦断面図、（ｂ）は、図３（ｃ）におけるＸ２−Ｘ２線矢視に対応させた一部破断概略縦断面図である。
【図２】同開口開閉装置を模式的に示す概略斜視図である。
【図３】（ａ）〜（ｄ）は、同開口開閉装置の開閉態様の一例をそれぞれ模式的に示す概略平面図である。
【図４】同開口開閉装置を模式的に示す一部を省略した一部破断概略分解斜視図である。
【図５】（ａ）、（ｂ）は、同開口開閉装置の開閉態様の一例をそれぞれ模式的に示す一部を省略した一部破断概略斜視図である。
【発明を実施するための形態】
【００１１】
以下に本発明の実施の形態について、図面に基づいて説明する。
なお、一部の図では、他図に付している詳細な符号の一部を省略している。
また、以下の実施形態では、図３（ａ）に示すＹ方向から見た状態を基準として、図３（ａ）における上側を後面側、下側を前面側とし、また、開口開閉装置が設置された状態を基準として、その方向等を原則的に説明する。
【００１２】
図１〜図５は、本実施形態に係る開口開閉装置の一例について説明するための概念的な説明図である。
本実施形態に係る開口開閉装置１は、図１〜図３に示すように、開口５の幅方向に沿ってスライド自在に配設される複数枚（図例では、二枚）の開閉体１０，１０と、これら開閉体１０，１０の上端側を案内する上側機構部２０と、を備えている。この開口開閉装置１は、これら開閉体１０，１０のそれぞれの前面１１，１１及び後面１２，１２が略同一平面状となるように横並びに開閉体１０，１０を配設して閉鎖する一方、隣り合う開閉体１０，１０同士を前後に重ね合わせるように配設して開放する構造とされている。
これら開閉体１０，１０が配設される開口５としては、住居等の建物内外を連通させる出入口や、建物内の出入口、窓開口、収納装置（収納家具）の開口等、開閉体１０，１０によって開閉されるものであればどのようなものでもよい。図例では、開口５を出入口とした例を示している。また、図例では、建物に設けられた開口部９に設置される開口枠２によって開口５を区画した例を示している。
【００１３】
開口部９は、柱材や間柱、横桟（まぐさ）、飼木、床下地（または床材）などの枠下地によって正面視して略矩形状に形成され、この開口部９の内周面に沿わせるようにして開口枠２が配設される。なお、開口部９としては、屋外に面する掃き出し窓や腰高窓等の既設の窓の窓枠としてもよく、この窓枠を枠下地として、この窓枠の建物内側（見込み方向における建物内側）に開口枠２を沿わせるようにして配設する態様としてもよい。つまり、当該開口開閉装置１を、既設の窓の内窓（二重窓の内窓）として設置する態様としてもよい。
【００１４】
開口枠２は、図例では、左右一対の縦枠３，３と、これら縦枠３，３の上端部間に架け渡されるように設けられた上枠（鴨居）２１と、これら縦枠３，３間に設けられた中間縦枠（戸当たり縦枠）４とを備えている。
一対の縦枠３，３は、上下に長尺な略角柱状体または略角筒状体とされている。これら縦枠３，３は、上記した開口部９の左右内側面を形成する枠下地等に沿わせるようにして、ねじや釘等の固定止具によって固定するようにしてもよい。なお、このような縦枠３，３を設けないようにしてもよい。
上枠２１は、左右に長尺な略角柱状体または略角筒状体とされており、本実施形態では、上側機構部２０を構成する。この上枠２１は、開口部９の天面を形成する枠下地等に沿わせるようにして、上記同様の固定止具によって固定するようにしてもよい。
【００１５】
戸当たり縦枠４は、図１及び図２に示すように、上下に長尺な略角柱状体または略角筒状体とされている。この戸当たり縦枠４は、開口５を閉鎖した状態における複数枚の開閉体１０，１０の突き合わせ端部の後方側に近接して、または該突き合わせ端部に当接するように配設される。図例では、複数枚の開閉体１０，１０として二枚からなる開閉体１０，１０を例示しており、この戸当たり縦枠４を、左右一対の縦枠３，３間の略中間部に設けた例を示しているが、開閉体１０，１０の枚数に応じて複数の戸当たり縦枠４を設けるようにしてもよい。
この戸当たり縦枠４は、上端を上枠２１の後面に当接させて上枠２１や開口部９の天面側の枠下地に上記同様の固定止具によって固定し、下端を床下地（または床材）などの枠下地に上記同様の固定止具によって固定するようにしてもよい。なお、このような戸当たり縦枠４を設けないようにしてもよい。
【００１６】
開閉体１０は、図１及び図２に示すように、略矩形平板状とされており、本実施形態では、出入口としての開口５を開閉する比較的に大型のガラス戸を例示している。図例では、左右一対の縦框と上下一対の横框とからなる四方框内に強化ガラス等を嵌め込むように設けたガラス戸を例示している。なお、開閉体１０としては、ガラス戸に限られず、木質系材料や合成樹脂系材料、金属系材料等から形成された中実または中空のパネル状の戸体（引戸）としてもよい。
【００１７】
また、本実施形態では、開閉体１０の上端部に、上側機構部２０に連結される開閉体取付部材１４を設けている。この開閉体取付部材１４は、左右に長尺とされ、開閉体１０の幅寸法と略同寸法の長さ寸法とされている。また、この開閉体取付部材１４は、本実施形態では、図１及び図４に示すように、開閉体１０の上端面１３に取り付けられた平板状の取付片１４ａと、この取付片１４ａの前端縁から上方に向けて立ち上がるように形成された平板状のカバー片１４ｂとを備えている。この開閉体取付部材１４は、これら取付片１４ａとカバー片１４ｂとによって縦断面略Ｌ字形状とされ、取付片１４ａが上記同様の固定止具によって開閉体１０の上端面１３に取り付けられる。なお、この開閉体取付部材１４としては、カバー片１４ｂの下端に全長に亘って取付片１４ａを一連に設けた態様としてもよい。または、カバー片１４ｂの下端に後方に向けて突出する複数の取付片１４ａをカバー片１４ｂの長手方向に沿って間隔を空けて設けた態様としてもよい。
【００１８】
また、本実施形態では、図２に示すように、開閉体１０の下端部に、床上を走行するキャスター１５，１５を設けている。図例では、開閉体１０の幅方向両側端部のそれぞれにキャスター１５，１５を設けた例を示している。このキャスター１５としては、走行方向が自在とされた転動輪を有した自在キャスターや、ボール状の転動体を有したボールキャスターなどの走行自在とされたものが挙げられる。なお、このキャスター１５の走行を案内し、床側に配設される下レールを更に備えたものとしてもよい。また、開閉体１０の上端側を案内する上側機構部２０によって開閉体１０の支持が可能な場合には、このようなキャスター１５を設けないようにしてもよい。
【００１９】
上側機構部２０は、開口５の天面側を区画する上枠２１と、この上枠２１に連結されたレール保持部２３と、このレール保持部２３に保持され、それぞれの開閉体１０，１０の上端側に連結されたスライドレール２６，２６と、を備えている。
レール保持部２３は、スライドレール２６，２６のそれぞれを、開口５の天面としての上枠２１の下面２１ａの略直下の略同高さ位置で伸縮方向に沿って並ぶように位置させる収納位置とこの収納位置から前方に突出した前方位置との間で変位自在に保持する。つまり、各スライドレール２６，２６は、収納位置では、互いに上下及び前後に略同位置で、左右に並ぶようにレール保持部２３によって保持される。一方、各スライドレール２６，２６は、前方位置では、収納位置と略同高さ位置で、この収納位置よりも前方に突出した位置でレール保持部２３によって保持される。
【００２０】
また、スライドレール２６を収納位置とすれば、スライドレール２６の略直下に連結された開閉体１０も収納位置となり、スライドレール２６を前方位置とすれば、スライドレール２６の略直下に連結された開閉体１０も前方位置となる。
なお、前方位置における前方への突出寸法は、隣り合う開閉体１０，１０の一方の開閉体１０を前方位置とし、他方の開閉体１０を収納位置とした状態で、いずれかの開閉体１０をスライドさせる際にこれら開閉体１０，１０同士が少なくとも干渉しない突出寸法とすればよい。
【００２１】
また、本実施形態では、レール保持部２３は、図１及び図４に示すように、レール取付部材２４を介してスライドレール２６に連結されている。このレール取付部材２４は、左右に長尺とされ、開閉体１０の幅寸法と略同寸法の長さ寸法とされている。また、このレール取付部材２４は、本実施形態では、図１及び図４に示すように、スライドレール２６の上面側に取り付けられた平板状の取付片２４ａと、この取付片２４ａの前端縁から下方に向けて垂れ下がるように形成されたカバー片２４ｂとを備えている。このレール取付部材２４は、これら取付片２４ａとカバー片２４ｂとによって縦断面略Ｌ字形状とされている。
このレール取付部材２４の取付片２４ａは、レール保持部２３とスライドレール２６との間に配設され、これらを互いに連結する構造とされている。
【００２２】
また、このレール取付部材２４のカバー片２４ｂは、スライドレール２６の前面側を覆うように形成されている。また、このレール取付部材２４のカバー片２４ｂは、開閉体１０が開口５を閉鎖した状態（閉鎖状態）では、開閉体１０の上端部に設けられた上記した開閉体取付部材１４のカバー片１４ｂと前後に重なり合うように配設される（図１（ａ）参照）。また、上記した開閉体取付部材１４のカバー片１４ｂは、当該開閉体取付部材１４が設けられた開閉体１０がスライドされて開口５を開放した状態（開放状態）では、スライドレール２６の前面側を覆うように形成されている（図１（ｂ）及び図３（ｃ）参照）。
なお、レール取付部材２４としては、カバー片２４ｂの上端に全長に亘って取付片２４ａを一連に設けた態様としてもよい。または、カバー片２４ｂの上端に後方に向けて突出する複数の取付片２４ａをカバー片２４ｂの長手方向に沿って間隔を空けて設けた態様としてもよい。また、図例では、開閉体取付部材１４のカバー片１４ｂをレール取付部材２４のカバー片２４ｂの前方側に配設した例を示しているが、開閉体取付部材１４のカバー片１４ｂをレール取付部材２４のカバー片２４ｂの後方側に配設するようにしてもよい。
【００２３】
また、本実施形態では、レール保持部２３を、上枠２１の下面２１ａ側及びスライドレール２６側にそれぞれ連結されたリンク部材２３としている。本実施形態では、図３及び図４に示すように、複数（図例では左右一対で二つ）のリンク部材２３，２３によってスライドレール２６を上記収納位置と前方位置との間で変位自在に保持する構造としている。図例では、これら左右一対のリンク部材２３，２３を、スライドレール２６の上面側に取り付けられたレール取付部材２４の長手方向両端部に連結した例を示している。
これら左右一対のリンク部材２３，２３は、図１及び図４に示すように、細長プレート状に形成されており、概ね同様の構成である。
【００２４】
リンク部材２３は、長手方向一端部が天面側（上枠側）連結軸２３ａ廻りに回動自在に上枠２１に連結され、長手方向他端部がレール側連結軸２３ｂ廻りに回動自在にレール取付部材２４に連結されている。
本実施形態では、図１及び図４に示すように、リンク部材２３の長手方向一端部に、上方に向けて突出する上枠側連結軸２３ａを設け、上枠２１に、この上枠側連結軸２３ａを回動自在に保持する軸受部２２を設けてこれらを回動自在に連結している。また、リンク部材２３の長手方向他端部に、下方に向けて突出するレール側連結軸２３ｂを設け、レール取付部材２４に、このレール側連結軸２３ｂを回動自在に保持する軸受部２５を設けてこれらを回動自在に連結している。
これら左右一対のリンク部材２３，２３、上枠２１及びレール取付部材２４によってリンク機構（平行リンク機構）を構成し、レール取付部材２４（つまりはこれに取り付けられたスライドレール２６）が上枠２１に対して前後方向に変位自在とされる。
【００２５】
これら左右一対のリンク部材２３，２３は、図１（ａ）及び図３（ａ）に示すように、スライドレール２６を収納位置とした状態では、長手方向をスライドレール２６の伸縮方向に概ね沿わせるようにして配設される。また、これらリンク部材２３，２３は、収納位置において、これらリンク部材２３，２３の前後寸法が開閉体１０の前後寸法（厚さ寸法）と概ね同寸法となるように形成されており、開閉体１０の略直上に配設される構成とされている。
また、本実施形態では、収納位置において、これらリンク部材２３，２３の各上枠側連結軸２３ａ，２３ａが各レール側連結軸２３ｂ，２３ｂよりも内方側（開口５の幅方向中心側）に位置するように、これらリンク部材２３，２３を上枠２１及びレール取付部材２４に連結している。このような連結態様とすることで、レール取付部材２４を前方位置に変位させる際に、レール取付部材２４やその下方側に設けられた開閉体取付部材１４、開閉体１０等が縦枠３に干渉することを抑制することができる。
【００２６】
また、本実施形態では、収納位置において、これらリンク部材２３，２３のレール側連結軸２３ｂ，２３ｂが上枠側連結軸２３ａ，２３ａよりも僅かに前方位置で、かつこれらリンク部材２３，２３が互いに平行となるように、これらリンク部材２３，２３を上枠２１及びレール取付部材２４に連結している。このような連結態様とし、収納位置においてレール取付部材２４、開閉体取付部材１４及び開閉体１０の少なくともいずれかの縦枠側端部が縦枠３に当接する態様とすることで、収納位置とされたレール取付部材２４等の後方側への移動を抑制することができる。なお、このような連結態様に代えて、収納位置において、これらリンク部材２３，２３の各連結軸２３ａ，２３ｂが前後に同位置となるように、これらリンク部材２３，２３を上枠２１及びレール取付部材２４に連結する態様としてもよい。
【００２７】
また、これらリンク部材２３，２３を、各連結軸２３ａ，２３ｂ廻りに上枠２１及びレール取付部材２４に対して回動させることで、図３（ｂ）に示すように、レール取付部材２４が前方位置とされる。この前方位置では、各リンク部材２３，２３がその長手方向を前後方向に沿わせるように配設された状態となる。また、この前方位置では、上記したリンク部材２３の各連結軸２３ａ，２３ｂの連結態様により、レール取付部材２４が収納位置よりも内方側（開口５の幅方向中心側）に位置することとなる。
【００２８】
なお、レール取付部材２４（スライドレール２６）の収納位置及び前方位置を維持する規制部を設けるようにしてもよい。例えば、収納位置とされたレール取付部材２４の後方側及び前方側への移動を抑制する収納位置規制部を、上枠２１やレール取付部材２４の適所に設けるようにしてもよい。このような収納位置規制部としては、収納位置においてリンク部材２３，２３の後側面に当接する突起等や、リンク部材２３，２３の前側面に当接するばね付勢された出没自在の突起や板ばね等としてもよい。また、同様に、前方位置とされたレール取付部材２４の更なる内方側への移動及び収納位置側への移動を抑制する前方位置規制部を、上枠２１やレール取付部材２４の適所に設けるようにしてもよい。このような前方位置規制部としては、前方位置においてリンク部材２３，２３の内方側面に当接する突起等や、リンク部材２３，２３の外方側（開口５の幅方向外方側）面に当接するばね付勢された出没自在の突起や板ばね等としてもよい。
【００２９】
また、図例では、左右一対の二つのリンク部材２３，２３によってレール取付部材２４を上枠２１に連結した例を示しているが、三つ以上のリンク部材によってレール取付部材２４を上枠２１に連結する態様としてもよい。
さらに、図例では、強度や構造の簡略化の観点等から、長手方向両端部をそれぞれ回動自在に上枠２１及びレール取付部材２４に連結した細長プレート状のリンク部材２３を例示しているが、このような態様に限られない。例えば、四本のリンクをパンタグラフ状に連結したリンク部材としてもよい。また、二本のリンクの一端部同士を回動自在にレール取付部材２４に連結し、これら二本のリンクの他端部を上枠２１の長手方向に沿ってスライド自在に上枠２１に連結したリンク部材としてもよい。その他、上枠２１（開口５の天面側）に対してスライドレール２６（レール取付部材２４）を、収納位置と前方位置との間で変位自在に保持し得るものであれば、種々のリンク部材の採用が可能である。
【００３０】
各スライドレール２６，２６は、各開閉体１０，１０のスライド方向に伸縮して各開閉体１０，１０を案内する構造とされている。各開閉体１０は、それぞれのスライドレール２６，２６に案内されて、それぞれの前面１１及び後面１２が略同一平面状となるように横並びに配設されて開口５を閉鎖する閉鎖位置と、前後に重ね合わせられるように配設されて開口５を開放する開放位置との間をスライド自在とされる。これらスライドレール２６，２６は、一方の開閉体１０を閉鎖位置とした状態で、他方の開閉体１０がこの一方の開閉体１０と前後で概ね一致する位置までスライド可能となるように構成されている（図３（ｃ）参照）。
また、これらスライドレール２６，２６は、本実施形態では、図３（ｄ）及び図５（ｂ）に示すように、二枚の開閉体１０，１０の一方を他方から離反させる方向（開口５の幅方向外方）へさらに伸縮可能な構造とされている。また、これら開閉体１０，１０のそれぞれに連結されたスライドレール２６，２６は、概ね同様の構成である。
【００３１】
スライドレール２６は、複数のスライド部材を組み合わせた構成とされており、本実施形態では、複数（図例では三つ）のスライドレール２７，２８，２９を上下に積み重ねるように配設した多段スライドレール２６としている。これら各段のスライドレール２７，２８，２９は、概ね同様の構成であり、アウターメンバー２７ａ，２８ａ，２９ａと、各アウターメンバー２７ａ，２８ａ，２９ａに対してスライド自在に係合するインナーメンバー２７ｂ，２８ｂ，２９ｂとを備えた構造とされている。これら各アウターメンバー２７ａ，２８ａ，２９ａと各インナーメンバー２７ｂ，２８ｂ，２９ｂとの間には、リテーナ（保持器）やこれに回転自在に保持されるボール等が設けられている。
【００３２】
図例では、上段スライドレール２７のインナーメンバー２７ｂと中段スライドレール２８のインナーメンバー２８ｂとを固定し、この中段スライドレール２８のアウターメンバー２８ａと下段スライドレール２９のアウターメンバー２９ａとを固定して上下に積み重ねた例を示している。
また、このスライドレール２６は、図１及び図４に示すように、上段スライドレール２７のアウターメンバー２７ａがレール取付部材２４の取付片２４ａに上記同様の固定止具によって取り付けられている。
【００３３】
また、このスライドレール２６は、下段スライドレール２９のインナーメンバー２９ｂが開閉体取付部材１４の取付片１４ａに上記同様の固定止具によって取り付けられている。つまり、本実施形態では、開閉体１０は、開閉体取付部材１４を介してスライドレール２６に連結されている。また、本実施形態では、二枚の開閉体１０，１０の一方を他方から離反させる方向（開口５の幅方向外方）へさらに伸縮可能なように、下段スライドレール２９のインナーメンバー２９ｂを開閉体取付部材１４に取り付けている。図例では、開閉体１０が閉鎖位置において、下段スライドレール２９のインナーメンバー２９ｂを、アウターメンバー２９ａから内方側（開口５の幅方向内方側）に向けて伸長させた状態で、開閉体取付部材１４に取り付けている。このような構成により、下段スライドレール２９のインナーメンバー２９ｂがアウターメンバー２９ａに対して外方側に移動（縮退）することで、開閉体１０の外方側への移動が可能とされている。
【００３４】
なお、スライドレール２６としては、上記したような複数のスライドレール２７，２８，２９を上下に積み重ねて構成した多段型のものに限られず、アウターメンバーとインナーメンバーとからなる単一のスライドレールとしてもよい。この場合は、一方の開閉体１０を閉鎖位置とした状態で、他方の開閉体１０がこの一方の開閉体１０と前後で概ね一致する位置までスライド可能となるように、適宜の長さ寸法や伸縮量とされたものを採用するようにしてもよい。また、スライドレールを、二枚の開閉体１０，１０の一方を他方から離反させる方向（開口５の幅方向外方）へさらに伸縮可能とする態様としては、上記態様に限られず、例えば、両側に伸縮可能とされた両トラベル型のスライドレールを採用するようにしてもよい。また、一方の開閉体１０を閉鎖位置とした状態で、他方の開閉体１０をこの一方の開閉体１０と前後で概ね一致する位置とした状態を維持する適宜のストッパー等の規制部を設けるようにしてもよい。さらに、スライドレールとしては、一方の開閉体１０を閉鎖位置とした状態で、他方の開閉体１０をこの一方の開閉体１０と前後で概ね一致する位置までスライド可能とする態様に限られず、途中位置までスライド可能とする態様としてもよい。
【００３５】
上記構成とされた本実施形態に係る開口開閉装置１は、例えば、以下のように開閉がなされる。
図１（ａ）、図２及び図３（ａ）では、各開閉体１０，１０（スライドレール２６，２６）を収納位置として、開口５を閉鎖した状態を示している。この状態では、それぞれの前面１１，１１及び後面１２，１２が略同一平面状となるように横並びに開閉体１０，１０が配設される。つまり、この閉鎖状態では、これら開閉体１０，１０の前面１１，１１同士が略同一平面状となり、これら開閉体１０，１０の後面１２，１２同士が略同一平面状となるように、これら開閉体１０，１０が開口５の幅方向に沿って横並びに配設される。
上記閉鎖状態から開口５を開放させる際には、図３（ｂ）に示すように、一方の開閉体１０を前方位置とする（図５（ｂ）も参照）。そして、図３（ｃ）に示すように、この一方の開閉体１０を隣り合う他方の開閉体１０側に向けてスライドさせ、これら隣り合う開閉体１０，１０同士を前後に重ね合わせるようにして配設し、開口５を開放させる態様としてもよい。または、前方位置とした一方の開閉体１０に対して、収納位置とされた他方の開閉体１０を一方の開閉体１０側に向けてスライドさせることで、開口５を開放させる態様としてもよい（図５（ａ）も参照）。なお、このように一方の開閉体１０を前方位置とする際に、隣り合う開閉体１０，１０同士の突き合わせ端部が互いに干渉しないように、これら突き合わせ端部を面取り形状としてもよい。
【００３６】
また、二枚の開閉体１０，１０の一方を他方から離反させる方向（開口５の幅方向外方）へ移動させる際には、上記同様、一方の開閉体１０を前方位置とする。そして、図３（ｄ）及び図５（ｂ）に示すように、この一方の開閉体１０を外方側に向けてスライドさせることで、他方の開閉体１０から離反し、開口５の幅方向中間側を開放させることができる。
なお、このような構成によれば、両側の開閉体１０，１０を前方位置とし、互いに離反させる方向へスライドさせることで、引き分け状に開口５の幅方向中間側を大きく開放させることができ、また、開口５の略全体を開放させることもできる。また、一方の開閉体１０を他方の開閉体１０から離反させる方向へのスライド寸法は、開口５を大きく開放可能とする寸法としてもよく、他方の開閉体１０との間に少なくとも手指等の差し込める空間が形成されるような寸法としてもよい。
また、開口５を閉鎖する際には、前方位置とされた各開閉体１０，１０（スライドレール２６，２６）によって開口５を閉鎖する態様としてもよい。この場合において、開口５を開放させる際には、一方の開閉体１０を収納位置とし、いずれかの開閉体１０をスライドさせることで、開口５を開放させる態様としてもよい。
【００３７】
本実施形態に係る開口開閉装置１によれば、閉鎖した状態で、それぞれの前後面１１，１１，１２，１２が略同一平面状となるように複数枚の開閉体１０，１０を配設可能でありながらも、これら開閉体１０，１０の上端側を案内する上側機構部２０のコンパクト化を図ることができる。
つまり、複数枚の開閉体１０，１０によって開口５を閉鎖した状態では、これら複数枚の開閉体１０，１０は、それぞれの前後面１１，１１，１２，１２が略同一平面状となるように配設される。従って、複数枚の開閉体１０，１０が横並びにフラット状に配設されるので、すっきりとした印象を与えることができ、見栄えを向上させることができる。
【００３８】
また、これら複数枚の開閉体１０，１０の上端側を案内するそれぞれのスライドレール２６，２６は、上枠２１の下面２１ａ（開口５の天面）略直下の略同高さ位置で伸縮方向に沿って並ぶように位置される収納位置とこの収納位置から前方に突出した前方位置との間で変位自在にレール保持部２３によって保持される。従って、二本のレールを上下や前後に配置する構造とされたものと比べて、開閉体１０の上端側を案内する上側機構部２０のコンパクト化を図ることができる。
さらに、それぞれのスライドレール２６，２６が上記収納位置と上記前方位置との間を変位自在とされているので、開閉体１０をスライドさせて開放させる際における自由度を向上させることができ、使い勝手を向上させることができる。つまり、例えば、隣り合う開閉体１０，１０の一方の開閉体１０を収納位置、他方の開閉体１０を前方位置としてこれら開閉体１０，１０のいずれの開閉体１０をもスライドさせて、開口５を開放させることができる。また、上記とは逆に、一方の開閉体１０を前方位置、他方の開閉体１０を収納位置としてこれら開閉体１０、１０のいずれの開閉体１０をもスライドさせて、開口５を開放させることができる。
【００３９】
また、本実施形態では、スライドレール２６を収納位置と前方位置との間で変位自在に保持するレール保持部２３を、上枠２１の下面２１ａ（開口５の天面）側及びスライドレール２６側にそれぞれ連結されたリンク部材２３としている。従って、例えば、スライドレールを前後方向に案内するレール等を設けた構造とした場合と比べて、収納位置とした状態における当該レール保持部（リンク部材）２３の前後寸法を小さくすることができる。なお、このような態様に代えて、スライドレール２６の上面側等に設けたランナー部材と、このランナー部材を前後方向に案内する上枠２１（開口５の天面）側に設けたレールとによってレール保持部を構成するようにしてもよい。
【００４０】
さらに、本実施形態では、二枚の開閉体１０，１０のそれぞれのスライドレール２６，２６を、これら開閉体１０，１０の一方を他方から離反させる方向へさらに伸縮可能としている。従って、引き違い状に開放可能であるとともに、上述のように引き分け状に開放させることも可能となる。また、当該開口開閉装置１を、既設の引き違い窓の内側等に設置した場合には、開閉体１０の一方を他方から離反させる方向へ移動させることで、既設の引き違い窓の召合わせ部に設けられたクレセント錠等の錠部材を容易に操作することも可能となる。従って、当該開口開閉装置１を、既設の外窓の内窓として好適に採用することが可能となる。なお、二枚の開閉体１０，１０のそれぞれのスライドレール２６，２６を、これら開閉体１０，１０の一方を他方から離反させる方向へさらに伸縮可能とせずに、他方側へのみ伸縮可能な構造としてもよい。
【００４１】
さらにまた、本実施形態では、レール保持部（リンク部材）２３を、スライドレール２６の前面側を覆うカバー片２４ｂを備えたレール取付部材２４を介してスライドレール２６に連結している。また、開閉体１０を、開放状態でスライドレール２６の前面側を覆う一方、閉鎖状態でレール取付部材２４のカバー片２４ｂと前後に重なり合うように配設されるカバー片１４ｂを備えた開閉体取付部材１４を介してスライドレール２６に連結している。従って、レール取付部材２４及び開閉体取付部材１４のそれぞれのカバー片２４ｂ，１４ｂによってスライドレール２６の前面側を覆うことができるので、スライドレール２６が前方側から目立ち難くなり、見栄えを向上させることができる。また、スライドレール２６の前面側が覆われるので、スライドレール２６への物品や手指等の侵入を抑制することができる。なお、このようなレール取付部材２４及び開閉体取付部材１４の両方または一方を設けないようにしてもよい。
【００４２】
なお、本実施形態では、二枚の開閉体１０，１０を備えた開口開閉装置１を例示しているが、三枚以上の開閉体を備えたものとしてもよい。この場合は、開閉体の枚数に応じて上側機構部を適宜、変形するようにすればよい。
また、本実施形態では、レール保持部（リンク部材）２３を、上枠２１に連結した例を示しているが、このような上枠２１を設けずに、開口５の天面側に適宜の連結部材等を介して連結する態様としてもよい。
【符号の説明】
【００４３】
１        開口開閉装置
５        開口
１０      開閉体
１１      前面
１２      後面
１４      開閉体取付部材
１４ｂ    カバー片
２１ａ    上枠の下面（開口の天面）
２３      リンク部材（レール保持部）
２４      レール取付部材
２４ｂ    カバー片
２６      スライドレール
【図１】
0005799245.tif 000002
【図２】
0005799245.tif 000003
【図３】
0005799245.tif 000004
【図４】
0005799245.tif 000005
【図５】
0005799245.tif 000006